(57)【特許請求の範囲】
【請求項１】
プラグ嵌合部が形成されたプラグハウジングに当該ハウジングの幅方向に二列で並設された複数の第１プラグコンタクト及び複数の第２プラグコンタクトを有してなるプラグコネクタと、前記プラグ嵌合部と嵌合するレセプタクル嵌合部が形成されたレセプタクルハウジングに当該ハウジングの幅方向に二列で並設された複数の第１レセプタクルコンタクト及び複数の第２レセプタクルコンタクトを有してなるレセプタクルコネクタとを備え、前記レセプタクルコネクタが所定の揺動軸を中心として前記プラグコネクタに対して所定の揺動範囲で相対的に揺動自在に構成されるコネクタ装置であって、
前記各プラグコンタクトは、前記揺動軸の軸方向と直交する面内に沿って延びるプラグ接触部を有し、
前記各レセプタクルコンタクトは、前記軸方向に所定の間隔をおいて対向形成されて、前記軸方向において互いに近接及び離間するよう弾性変形可能な一対のレセプタクル接触部を有し、
前記プラグハウジングと前記レセプタクルハウジングとを嵌合させたときに、前記第１プラグコンタクトの前記プラグ接触部が前記第１レセプタクルコンタクトの前記一対のレセプタクル接触部に弾性的に挟み込まれた状態で接触するとともに、前記第２プラグコンタクトの前記プラグ接触部が前記第２レセプタクルコンタクトの前記一対のレセプタクル接触部に弾性的に挟み込まれた状態で接触するようになっており、
前記レセプタクルコネクタを前記プラグコネクタに対して相対的に揺動させたときに、前記軸方向から見て、前記所定の揺動範囲における前記第１レセプタクルコンタクトの前記レセプタクル接触部の揺動軌跡が前記第１プラグコンタクトの前記プラグ接触部と重なるとともに、前記第２レセプタクルコンタクトの前記レセプタクル接触部の揺動軌跡が前記第２プラグコンタクトの前記プラグ接触部と重なるように配置され、前記レセプタクルコネクタと前記プラグコネクタとの相対位置に拘わらず、前記第１レセプタクルコンタクトの前記一対のレセプタクル接触部と前記第１プラグコンタクトの前記プラグ接触部とが常時接触した状態を維持しながら相対変位するとともに、前記第２レセプタクルコンタクトの前記一対のレセプタクル接触部と前記第２プラグコンタクトの前記プラグ接触部とが常時接触した状態を維持しながら相対変位することを特徴とするコネクタ装置。
【請求項２】
前記揺動軸の軸線が、前記軸方向から見て、前記複数の第１プラグコンタクトの前記プラグ接触部と前記複数の第２プラグコンタクトの前記プラグ接触部との間に配置されることを特徴とする請求項１に記載のコネクタ装置。
【発明の詳細な説明】
【技術分野】
【０００１】
本発明は、固定体と可動体との間の電気的接続手段として好適に用いられるコネクタ装
置に関する。
【背景技術】
【０００２】
従来からコネクタ装置として、プラグ嵌合部を有したハウジングにコンタクトを備えて
なるプラグコネクタと、プラグ嵌合部と嵌脱可能なレセプタクル嵌合部を有したハウジン
グにコンタクトを備えてなるレセプタクルコネクタとから構成され、プラグコネクタとレ
セプタクルコネクタとのハウジング同士を嵌合させたときに互いのコンタクトが接触して
両コネクタが電気的に接続される構成の嵌合型の電気コネクタが知られている。
【０００３】
このようなコネクタ装置は、近年では、パチンコ機等の遊技機の前扉と本体枠、自動車
等の車両のドアとボディ、折り畳み式の携帯型端末やノート型パーソナルコンピュータな
ど、ヒンジ構造等により互いに開閉可能（揺動自在）に構成された固定体と可動体との間
の電気的接続手段として、所謂ボード・トゥ・ケーブル型（基板対ケーブル型）などの形
態で広く利用されている。
【０００４】
例えば、パチンコ機においては、ヒンジ構造により開閉可能なガラス扉の背面に電飾装
置（ＬＥＤ）や音響装置（スピーカ）に接続される基板側のコネクタを取り付け、本体枠
の前面側に制御装置に接続されるケーブル側のコネクタを取り付けて、ガラス扉を本体枠
に対して閉止させたときに、基板側のコネクタとケーブル側のコネクタとが嵌合して電気
接続される構成が知られている（例えば、特許文献１を参照）。このようなコネクタでは
、ガラス扉が閉じられて遊技に供される状態で両コネクタを介して電力の供給や制御信号
の送受信が可能となり、遊技展開に応じた演出として電飾装置や音響装置を作動させるこ
とができるようになっている。
【先行技術文献】
【特許文献】
【０００５】
【特許文献１】特開２００３−１３５７９２号公報
【発明の概要】
【発明が解決しようとする課題】
【０００６】
近年では、固定体と可動体との間の電気的接続手段として、可動体に連動してレセプタ
クルネクタをプラグコネクタに対して相対的に揺動させても通電状態が維持される構成の
可動型のコネクタ装置の開発が望まれている。特に、このような可動型のコネクタ装置に
おいても、最近のコンタクトの多極化の傾向に対応してコネクタの幅方向の寸法を抑えて
小型化を図ることが要請されている。
【０００７】
本発明は、このような課題に鑑みてなされたものであり、通電状態を維持しながらもレ
セプタクルコネクタをプラグコネクタに対して相対的に揺動させ得る構成において、ハウ
ジングの幅方向寸法を短小化してコネクタ全体の小型化を図ることができる構成のコネク
タ装置を提供することを目的とする。
【課題を解決するための手段】
【０００８】
上記目的を達成するため、本発明に係るコネクタ装置は、プラグ嵌合部（例えば、実施形態における嵌合凹部２７）が形成されたプラグハウジングに当該ハウジングの幅方向に二列で並設された複数の第１プラグコンタクト及び複数の第２プラグコンタクトを有してなるプラグコネクタと、プラグ嵌合部と嵌合するレセプタクル嵌合部（例えば、実施形態における嵌合凸部６２，６３）が形成されたレセプタクルハウジングに当該ハウジングの幅方向に二列で並設された複数の第１レセプタクルコンタクト及び複数の第２レセプタクルコンタクトを有してなるレセプタクルコネクタとを備え、所定の揺動軸（例えば、実施形態における枢支軸部２８）を中心としてプラグコネクタに対して所定の揺動範囲で相対的に揺動自在に構成されるコネクタ装置であって、各プラグコンタクトは、揺動軸の軸方向と直交する面内に沿って延びるプラグ接触部を有し、各レセプタクルコンタクトは、軸方向に所定の間隔をおいて対向形成されて、軸方向において互いに近接及び離間するよう弾性変形可能な一対のレセプタクル接触部を有し、プラグハウジングとレセプタクルハウジングとを嵌合させたときに、第１プラグコンタクトのプラグ接触部が第１レセプタクルコンタクトの一対のレセプタクル接触部に弾性的に挟み込まれた状態で接触するとともに、第２プラグコンタクトのプラグ接触部が第２レセプタクルコンタクトの一対のレセプタクル接触部に弾性的に挟み込まれた状態で接触するようになっており、レセプタクルコネクタをプラグコネクタに対して相対的に揺動させたときに、軸方向から見て、所定の揺動範囲における第１レセプタクルコンタクトのレセプタクル接触部の揺動軌跡が第１プラグコンタクトのプラグ接触部と重なるとともに、第２レセプタクルコンタクトのレセプタクル接触部の揺動軌跡が第２プラグコンタクトのプラグ接触部と重なるように配置され、レセプタクルコネクタとプラグコネクタとの相対位置に拘わらず、第１レセプタクルコンタクトの一対のレセプタクル接触部と第１プラグコンタクトのプラグ接触部とが常時接触した状態を維持しながら相対変位するとともに、第２レセプタクルコンタクトの一対のレセプタクル接触部と第２プラグコンタクトのプラグ接触部とが常時接触した状態を維持しながら相対変位するように構成される。
【０００９】
なお、上記構成のコネクタにおいて、揺動軸の軸線が、軸方向から見て、複数の第１プラグコンタクトのプラグ接触部と複数の第２プラグコンタクトのプラグ接触部との間に配置されることが好ましい。
【発明の効果】
【００１０】
本発明に係るコネクタ装置は、第１及び第２プラグコンタクトをプラグハウジングの幅
方向に沿って二列で並設し、第１及び第２レセプタクルコンタクトをレセプタクルハウジ
ングの幅方向に沿って二列で並設して、レセプタクルコネクタをプラグコネクタに対して
相対的に揺動させたときに、揺動軸の軸方向から見て、所定の揺動範囲における第１レセ
プタクルコンタクトの接触部の揺動軌跡が第１プラグコンタクトの接触部と重なるととも
に、第２レセプタクルコンタクトの接触部の揺動軌跡が第２プラグコンタクトの接触部と
重なるように配置され、レセプタクルコネクタとプラグコネクタとの相対位置に拘わらず
、第１レセプタクルコンタクトと第１プラグコンタクトとが常時接触した状態を維持しな
がら相対変位するとともに、第２レセプタクルコンタクトと第２プラグコンタクトとが常
時接触した状態を維持しながら相対変位するように構成される。従って、プラグコンタク
ト及びレセプタクルコンタクトの双方をそれぞれ二列配置とした場合でも、プラグコネク
タとレセプタクルコネクタとの間の通電状態を維持しながらもレセプタクルコネクタをプ
ラグコネクタに対して相対的に揺動させ得る構成が実現されるため、固定体と可動体との
間の電気的接続手段として好適に用いることが可能であるとともに、信号線（極数）が増
加しても各コンタクトを一列配置とした場合と比してハウジングの幅方向寸法を略半分に
短小化して、コネクタ全体の小型化を図ることができる。
【００１１】
また、上記構成のコネクタ装置において、揺動軸の軸線が複数の第１プラグコンタクト
と複数の第２プラグコンタクトとの間に配置されることが好ましく、このような構成によ
れば、第１レセプタクルコンタクト及び第２レセプタクルコンタクトが揺動軸を中心とし
て第１プラグコンタクト及び第２プラグコンタクトに対して相対的に揺動したときの各レ
セプタクルコンタクトの接触部の揺動半径を小さく抑えることができるため、コネクタ全
体の更なる小型化が可能である。
【図面の簡単な説明】
【００１２】
【図１】本発明の一実施形態に係る可動型コネクタを示す斜視図である。
【図２】上記可動型コネクタを構成するプラグコネクタを示し、（ａ）は平面図、（ｂ）は正面図である。
【図３】上記プラグコネクタの側面図である。
【図４】図２における矢印IV−IVに沿って示す断面図である。
【図５】上記プラグコネクタを構成する第１プラグコンタクトを示し、（ａ）は正面図、（ｂ）は側面図である。
【図６】上記プラグコネクタを構成する第２プラグコンタクトを示し、（ａ）は正面図、（ｂ）は側面図である。
【図７】上記可動型コネクタを構成するレセプタクルコネクタを示し、（ａ）は平面図、（ｂ）は正面図である。
【図８】上記レセプタクルコネクタの側面図である。
【図９】図７における矢印IX−IXに沿って示す断面図である。
【図１０】図８における矢印X−Xに沿って示す断面図である。
【図１１】上記レセプタクルコネクタを構成するレセプタクルコンタクトの斜視図である。
【図１２】上記レセプタクルコンタクトを示し、（ａ）は平面図、（ｂ）は側面図、（ｃ）は底面図である。
【図１３】（ａ）は図１２における矢視Ａから見た上記レセプタクルコンタクトの矢視図、（ｂ）は図１２における矢印XII−XIIに沿って示す断面図である。
【図１４】上記可動型コネクタが嵌脱位置にある状態を示す側断面図である。
【図１５】レセプタクルコネクタをプラグコネクタに対して所定角度だけ揺動させた状態を示す側断面図である。
【図１６】上記可動型コネクタが揺動限界位置にある状態を示す側断面図である。
【図１７】固定体と可動体との間の電気的接続手段として上記可動型コネクタを取り付けた状態を示す斜視図である。
【図１８】可動体を固定体に対して開放した状態を示す斜視図である。
【図１９】可動体を固定体に対して閉止した状態を示す斜視図である。
【発明を実施するための形態】
【００１３】
以下、本発明の好ましい実施形態について図面を参照しながら説明する。本発明の一実
施形態に係る可動型コネクタ１の斜視図を図１に示している。この可動型コネクタ１は、
基板Ｂ上に取り付けられたプラグコネクタ（基板側コネクタ）１０と、複数のケーブルＣ
の端部に取り付けられたレセプタクルコネクタ（ケーブル側コネクタ）５０とから構成さ
れており、両コネクタ１０，５０を嵌合させることによりケーブルＣと基板Ｂとが電気的
に接続されるようになっている。以下の説明では便宜上、前後左右及び上下の方向を図１
に示す状態を基準として定義しており、この図１に示す矢印の方向を前後、左右、上下と
称して説明する。
【００１４】
まず、プラグコネクタ１０の構成について、図２〜図６を参照して説明する。このプラ
グコネクタ１０は、相手方コネクタ（レセプタクルコネクタ５０）との嵌脱方向が基板Ｂ
に対して垂直方向である立設型コネクタとして構成されており、基板Ｂ上に取り付けられ
たプラグハウジング２０と、このハウジング２０の幅方向に沿って整列状態で保持された
複数個（計３２個）のプラグコンタクト３０，４０とを備えて構成される。なお、前述し
た図１に示す矢印の方向において、ハウジング２０の幅方向を左右方向、ハウジング２０
の厚さ方向を前後方向、ハウジング２０の高さ方向を上下方向として定義している。
【００１５】
プラグハウジング２０は、樹脂等の電気絶縁性材料を用いて一体成型されており、直方
体状のベース部２１と、このベース部２１の上方に立設された左右の側壁２５，２５及び
前壁２６とを有して、全体として上面及び後面開放の矩形箱形状をなし、中央にこれらの
壁面に囲まれた嵌合凹部（相手方のレセプタクルコネクタ５０の嵌合凸部６２，６３を受
容する空間）２７が形成されている。
【００１６】
ベース部２１には、下方に延びる円筒状の位置決め突起２２が左右一対に形成されてお
り、この位置決め突起２２を基板Ｂに表裏貫通して形成された位置決め穴（図示せず）に
嵌入させることにより、このプラグコネクタ１０が基板Ｂに対して位置決めされるように
なっている。また、ベース部２１の底面の四隅には断面矩形状の脚部２３が突出形成され
ており、この４箇所の脚部２３を介してプラグハウジング２０が基板Ｂ上に載置される。
このベース部２１には、上下に貫通する複数のコンタクト圧入孔２４が左右方向に並んで
（ここでは、プラグコンタクト３０，４０の個数と同じで計３２個のコンタクト圧入孔２
４が、左右方向に沿って１６個ずつ前後二列に並んで）形成されている。
【００１７】
プラグハウジング２０には、左右の側壁２５から外方へ突出して側面視において略小判
状に形成された一対の枢支軸部２８が同一軸線上に形成されており、相手方のレセプタク
ルコネクタ５０に開口形成された枢支孔７１と係脱自在に係合するようになっている。こ
の枢支軸部２８には、上記枢支孔７１への挿入を容易にするために、左右外方へ向かって
斜め下方に傾斜する傾斜面２８ａが形成されている。また、左右の側壁２５の上端部には
、側面視において上方に向かって拡開する略Ｖ字状に切り欠いたＶ字溝２９が形成されて
おり、このＶ字溝２９における二つの内壁面２９ａ，２９ｂの開き角度（内角）は約１０
０度に設定されている。
【００１８】
プラグコンタクト３０，４０は、金属製の導電性材料を用いて縦長の平板状に形成され
ており、ベース部２１の各コンタクト圧入孔２４に圧入保持されて嵌合凹部２７内を上方
に向かって延びている。このプラグコンタクト３０，４０は、その表面に金（Ａｕ）など
の薄膜を被覆する所要の表面処理（メッキ）が施されている。
【００１９】
各プラグコンタクト３０，４０は、プラグハウジング２０に取り付けられたときに、嵌
合凹部２７内に突出する接触部３１，４１と、コンタクト圧入孔２４に圧入保持される圧
入部３２，４２と、この圧入部３２，４２から下方に延びて形成されて基板Ｂの信号端子
に接続されるリード部３３，４３とを有して一体的に構成されている。なお、第１プラグ
コンタクト３０と第２プラグコンタクト４０とは、圧入部３２，４２及びリード部３３，
４３がほぼ同一の形状寸法を有しているが、接触部３１，４１の長さが互いに異なるよう
に形成されている。
【００２０】
プラグコンタクト３０，４０の接触部３１，４１は、詳細は後述するが、このプラグコ
ネクタ１０に対してレセプタクルコネクタ５０を枢支軸部２８を中心として相対的に揺動
させたときに、この枢支軸部２８の軸方向（左右方向）から見て、レセプタクルコンタク
ト８０，９０の接触部８５，９５の揺動軌跡とそれぞれ重なるように形成されており、第
１プラグコンタクト３０の接触部３１の長さ寸法は第２プラグコネクタ４０の接触部４１
の長さ寸法よりも大きく（すなわち、嵌合凹部２７内での突出長も大きく）形成されてい
る。なお、第１プラグコンタクト３０の接触部３１の先端は略台形形状に形成されている
のに対して、第２プラグコンタクト４０の接触部４１の先端は上方に向かうに従って幅狭
となる先細り形状に形成されている。
【００２１】
圧入部３２，４２には、その板幅方向（前後方向外方）に突出する矢羽根状の第１圧入
突起３４，４４が４箇所形成されるとともに、その板厚方向（左右方向外方）に突出する
矩形状の第２圧入突起３５，４５が１箇所形成されており、プラグコンタクト３０，４０
がコンタクト圧入孔２４に下方から挿入されたとき、第２圧入突起３５，４５によってプ
ラグコンタクト３０，４０がコンタクト圧入孔２４の内壁面に寄せられて板厚方向（コン
タクトの隣接ピッチ方向）の位置決めがなされ、第１圧入突起３４，４４がコンタクト圧
入孔２４に圧入されて係止されることで、プラグコンタクト３０，４０がコンタクト圧入
孔２４にしっかりと固定されるようになっている。
【００２２】
リード部３３，４４は、プラグコンタクト３０，４０がプラグハウジング２０のベース
部２１に取り付けられたときに、このベース部２０の底面より下方に突出して延びるよう
になっており、その下面は基板Ｂの配線パターン上に半田付けにより接合されている。
【００２３】
このプラグコネクタ１０の基板Ｂ上への取り付けは、プラグハウジング２０の底面から
下方に突出する二つの位置決め突起２２を基板Ｂに形成された位置決め孔（図示せず）に
上方から挿入して基板Ｂ上での位置決めを行った上で、プラグコンタクト３０，４０のリ
ード部３３，４３と基板Ｂ上に形成された配線パターン（図示せず）とを半田接合するこ
とによりなされる。なおこのとき、プラグハウジング２０は基板Ｂに対して計４箇所の脚
部２３のみが接触して、ベース部２１の底面と基板Ｂの表面とは所定の隙間をあけて離間
している。
【００２４】
次に、上記プラグコネクタ１０と組み合わされて用いられる相手方コネクタであるレセ
プタクルコネクタ５０の構成について、図７〜図１３を追加参照して説明する。このレセ
プタクルコネクタ５０は、相手方のプラグコネクタ１０の幅方向（左右方向）とほぼ対応
するように横長に延びて設けられたレセプタクルハウジング６０と、このレセプタクルハ
ウジング６０の幅方向（左右方向）に沿って整列状態で保持された複数個（ここではプラ
グコンタクト３０，４０の個数と同じで計３２個）のレセプタクルコンタクト８０，９０
とを有して構成される。なお、前述した図１に示す矢印の方向において、ハウジング６０
の幅方向を左右方向、ハウジング６０の厚さ方向を前後方向、ハウジング６０の高さ方向
（プラグコネクタ１０との嵌脱方向）を上下方向として定義している。
【００２５】
レセプタクルハウジング６０は、上記プラグハウジング２０と同様に樹脂等の電気絶縁
性材料を用いて一体成形されており、レセプタクルコンタクト８０，９０を収容保持する
ハウジング本体６１と、このハウジング本体６１の左右側壁に連結部５１を介して繋がる
左右一対のロックアーム７０とを有して構成される。
【００２６】
ハウジング本体６１には、プラグコネクタ１０の嵌合凹部２７に嵌挿される突起状の二
つの嵌合凸部６２，６３が前方に段差状をなして突出形成されている（上段嵌合凸部６２
の方が下段嵌合凸部６３よりも前方に突出している）。ハウジング本体６１の基端側（後
面側）には、前後に貫通するコンタクト挿入孔６４が左右方向に並んで（ここでは、レセ
プタクルコンタクト８０，９０の個数と同じで計３２個のコンタクト挿入孔６４が、左右
方向に沿って１６個ずつ上下２列に並んで）形成されており、このコンタクト挿入孔６４
からレセプタクルコンタクト８０，９０がレセプタクルハウジング６１内に挿入されるよ
うになっている。
【００２７】
上段嵌合凸部６２には、上列の各コンタクト挿入孔６４に連通して前後方向に延びる長
孔状のコンタクト収容空間６２ａが左右に並んで複数（ここでは、第１レセプタクルコン
タクト８０の個数と同じで計１６個）形成されており、各コンタクト収容空間６２ａ内に
第１レセプタクルコンタクト８０をそれぞれ収容し得るようになっている。各コンタクト
収容空間６２ａは、前後方向に延びる横長板状の隔壁６２ｂによって相互に仕切られてお
り、隣接する第１レセプタクルコンタクト８０が電気的、機械的に絶縁されている。また
、上段嵌合凸部６２の先端には、相手方の第１プラグコンタクト３０の差込口としてコン
タクト収容空間６２ａを上下及び前方に開放するためのコンタクト差込口６２ｃが開口形
成されており、これによりコンタクト収容空間６２ａに収容された第１レセプタクルコン
タクト８０がコンタクト差込口６２ｃを通して上下及び前方に露出されるようになってい
る。なお、このコンタクト差込口６２ｃの開口幅（左右方向の開口幅）は、第１レセプタ
クルコンタクト８０の板厚みより小さいが、相手方の第１プラグコンタクト３０の板厚よ
りも大きく形成されている。
【００２８】
下段嵌合凸部６３には、下列の各コンタクト挿入孔６４に連通して前後方向に延びる長
孔状のコンタクト収容空間６３ａが左右に並んで複数（ここでは、第２レセプタクルコン
タクト９０の個数と同じで計１６個）形成されており、各コンタクト収容空間６３ａ内に
第２レセプタクルコンタクト９０をそれぞれ収容し得るようになっている。各コンタクト
収容空間６３ａは、前後方向に延びる横長板状の隔壁６３ｂによって相互に仕切られてお
り、隣接する第２レセプタクルコンタクト９０が電気的、機械的に絶縁されている。また
、下段嵌合凸部６３の先端には、相手方の第２プラグコンタクト４０の差込口としてコン
タクト収容空間６３ａを上下及び前方に開放するためのコンタクト差込口６３ｃが開口形
成されており、これによりコンタクト収容空間６３ａに収容された第２レセプタクルコン
タクト９０がコンタクト差込口６３ｃを通して上下及び前方に露出されるようになってい
る。なお、このコンタクト差込口６３ｃの開口幅（左右方向の開口幅）は、第２レセプタ
クルコンタクト９０の板厚みより小さいが、相手方の第２プラグコンタクト４０の板厚よ
りも大きく形成されている。
【００２９】
レセプタクルハウジング６０には、ハウジング本体６１の上壁を上下に貫通する平面視
矩形状の第１ラッチ解除孔６５及び第２ラッチ解除孔６６が左右方向に並んで複数（ここ
では、第１レセプタクルコンタクト８０、第２レセプタクルコンタクト９０の個数とそれ
ぞれ同じで計１６個ずつ）形成されている。また、ハウジング本体６１には、第１ラッチ
解除孔６５と位置整合して（下方に位置して）第１レセプタクルコンタクト８０の抜け止
め用の第１ラッチ係止壁６７が形成され、第２ラッチ解除孔６６と位置整合して（下方に
位置して）第２レセプタクルコンタクト９０の抜け止め用の第２ラッチ係止壁６８が形成
されている。
【００３０】
このようなハウジング本体６１に挿着されるレセプタクルコンタクト８０，９０は、金
属等の導電性材料の薄平板にプレス加工（打ち抜き加工及び曲げ加工）を施すことにより
一体的に形成され、全体として当該薄平板をコ字状に屈曲した形状を有しており、このコ
字形状の開口側が下方を向いてハウジング本体６１のコンタクト差込口６２ｃ，６３ｃに
対向する収容姿勢で各コンタクト収容空間６２ａ，６３ａ内に取り付けられる。このレセ
プタクルコンタクト８０，９０には、その表面に金（Ａｕ）などの薄膜を被覆する所要の
表面処理（メッキ）が施されている。なお、第１レセプタクルコンタクト８０と第２レセ
プタクルコンタクト９０とは同一の形状寸法である。
【００３１】
第１レセプタクルコンタクト８０は、左右の側板部８１ａ及びこれらを繋ぐ上板部８１
ｂとからなるコンタクト本体８１と、このコンタクト本体８１の後部に繋がって形成され
てケーブルＣの端部が接続される被覆かしめ部８９ａ及び芯線かしめ部８９ｂとを有して
一体的に構成されている。
【００３２】
レセプタクルコンタクト８０，９０に接続されるケーブルＣは、複数本の極細電線を寄
り合わせて作られた芯線（信号線）Ｃａが絶縁材料からなる絶縁被覆Ｃｂにより覆われて
構成されており、絶縁被覆Ｃｂが部分的に除去されてケーブルＣの端部において芯線Ｃａ
が露出するようになっている。このケーブルＣの絶縁被覆Ｃｂを被覆かしめ部８９ａによ
ってその周囲からカシメ固定し、ケーブルＣにおける露出した芯線Ｃａ部分を芯線かしめ
部８９ｂによってかしめ固定（必要に応じて半田付け）することで、芯線Ｃａが第１レセ
プタクルコンタクト８０に電気接続されるようになっている。
【００３３】
コンタクト本体８１における左右の側板部８１ａには、この側板部８１ａの一部を切り
欠いて内側に折り曲げ形成されて側板部８１ａの下端から片持ち状に延設される左右一対
二組の弾性変形部８２が設けられている（すなわち、弾性変形部８２は計４個設けられて
いる）。
【００３４】
左右一対の弾性変形部８２は、全体として正面視で略ハ字状（末広がり）に形成されて
おり、上方に向かって互いの間隔が狭くなるように傾斜する一対の案内部８３と、案内部
８３の端部に繋がり互いに対向して配置される一対の挟持部８４と、挟持部８４から互い
に内向き凸状に突設された一対の接触部８５とを有しており、左右の弾性変形部８２のハ
字状に開いた下方開放端には相手方の第１プラグコンタクト３０を受け入れるためのコン
タクト受入口８６が形成されている。
【００３５】
左右一対の接触部８５は、側板部８１ａの下端側を固定端として幅厚方向に撓み変形可
能な弾性変形部８２における自由端側にそれぞれ形成されており、この弾性変形部８２の
撓み変形に応じて当該対向する方向（すなわち、互いに接近又は離間する方向）に変位可
能になっている。この一対の接触部８２間の間隙は、第１プラグコンタクト３０の接触部
３１の厚みよりも幾分小さく形成されており、弾性変形部８２の弾性力（復元力）に基づ
いて第１プラグコンタクト３０の接触部３１を両側から挟み込んだ状態で弾性的に接触可
能になっている。
【００３６】
このように第１レセプタクルコンタクト８０には、左右一対二組の弾性変形部８２（す
なわち、計４個の接触部８５）がそれぞれ形成されているため、詳細が後述するが、第１
レセプタクルコンタクト８０と第１プラグコンタクト３０とは互いに２点（第１プラグコ
ンタクト３０の接触部３１が第１レセプタクルコンタクト８０の一組の弾性変形部８２と
のみ接触する場合）又は４点（第１プラグコンタクト３０の接触部３１が第１レセプタク
ルコンタクト８０の二組の弾性変形部８２と接触する場合）で接触することが可能である
。
【００３７】
左右の側板部８１ａを繋ぐ上板部８１ｂには、この上板部８１ｂの長手方向（前後方向
）に沿って延びる矩形状のコンタクト逃げ孔８７が開設されており、このコンタクト逃げ
孔８７は相手方の第１プラグコンタクト３０の接触部３１先端が通過可能な大きさに形成
されている。また、上板部８１ｂには、この上板部８１ｂの一部にコ字状に切り込みを入
れて上方向に折り曲げ形成された板バネ状のラッチ部８８が設けられている。
【００３８】
この第１レセプタクルコンタクト８０は、レセプタクルハウジング６０のハウジング本
体６１に開口形成された上列のコンタクト挿入孔６４から挿入され、コンタクト受入口８
６が下方を向いてコンタクト差込口６２ｃと対向する収容姿勢で、コンタクト収容空間６
２ａ内に取り付けられる。このとき、第１レセプタクルコンタクト８０の上板部８１ｂに
形成されたラッチ部８８がハウジング本体６１に形成された第１ラッチ係止壁６７に係合
して、第１レセプタクルコンタクト８０の後方への移動が制止されるとともに、コンタク
ト本体８１がコンタクト収容部６２ａ内の側壁と当接して前方及び上下左右への移動が制
止され、これにより第１レセプタクルコンタクト８０が抜け止め状態でレセプタクルハウ
ジング６０内に固定保持される。なお、第１レセプタクルコンタクト８０をレセプタクル
ハウジング６０から抜脱する場合には、ハウジング本体６１の第１ラッチ解除孔６５を通
してラッチ部８８を弾性的に押し下げた状態で、第１レセプタクルコンタクト８０をまっ
すぐ後方へ引き抜けばよい。
【００３９】
第２レセプタクルコンタクト９０は、左右の側板部９１ａ及びこれらを繋ぐ上板部９１
ｂとからなるコンタクト本体９１と、このコンタクト本体９１の後部に繋がって形成され
てケーブルＣの端部が接続される被覆かしめ部９９ａ及び芯線かしめ部９９ｂとを有して
一体的に構成されている。
【００４０】
この第２レセプタクルコンタクト９０において、ケーブルＣの絶縁被覆Ｃｂを被覆かし
め部９９ａによってその周囲からカシメ固定し、ケーブルＣにおける露出した芯線Ｃａ部
分を芯線かしめ部９９ｂによってかしめ固定（必要に応じて半田付け）することで、芯線
Ｃａが第２レセプタクルコンタクト９０に電気接続されるようになっている。
【００４１】
コンタクト本体９１における左右の側板部９１ａには、この側板部９１ａの一部を切り
欠いて内側に折り曲げ形成されて側板部９１ａの下端から片持ち状に延設される左右一対
二組の弾性変形部９２が設けられている（すなわち、弾性変形部９２は計４個設けられて
いる）。
【００４２】
左右一対の弾性変形部９２は、全体として正面視で略ハ字状（末広がり）に形成されて
おり、上方に向かって互いの間隔が狭くなるように傾斜する一対の案内部９３と、案内部
９３の端部に繋がり互いに対向して配置される一対の挟持部９４と、挟持部９４から互い
に内向き凸状に突設された一対の接触部９５とを有しており、左右の弾性変形部９２のハ
字状に開いた下方開放端には相手方の第２プラグコンタクト４０を受け入れるためのコン
タクト受入口９６が形成されている。
【００４３】
左右一対の接触部９５は、側板部９１ａの下端側を固定端として幅厚方向に撓み変形可
能な弾性変形部９２における自由端側にそれぞれ形成されており、この弾性変形部９２の
撓み変形に応じて当該対向する方向（すなわち、互いに接近又は離間する方向）に変位可
能になっている。この一対の接触部９２間の間隙は、第２プラグコンタクト４０の接触部
４１の厚みよりも幾分小さく形成されており、弾性変形部９２の弾性力（復元力）に基づ
いて第２プラグコンタクト４０の接触部４１を両側から挟み込んだ状態で弾性的に接触可
能になっている。
【００４４】
このように第２レセプタクルコンタクト９０には、左右一対二組の弾性変形部９２（す
なわち、計４個の接触部９５）がそれぞれ形成されているため、詳細が後述するが、第２
レセプタクルコンタクト９０と第２プラグコンタクト４０とは互いに２点（第２プラグコ
ンタクト４０の接触部４１が第２レセプタクルコンタクト９０の一組の弾性変形部９２と
のみ接触する場合）又は４点（第２プラグコンタクト４０の接触部４１が第２レセプタク
ルコンタクト９０の二組の弾性変形部９２と接触する場合）で接触することが可能である
。
【００４５】
左右の側板部９１ａを繋ぐ上板部９１ｂには、この上板部９１ｂの長手方向（前後方向
）に沿って延びる矩形状のコンタクト逃げ孔９７が開設されており、このコンタクト逃げ
孔９７は相手方の第２プラグコンタクト４０の接触部４１先端が通過可能な大きさに形成
されている。また、上板部９１ｂには、この上板部９１ｂの一部にコ字状に切り込みを入
れて上方向に折り曲げ形成された板バネ状のラッチ部９８が設けられている。
【００４６】
この第２レセプタクルコンタクト９０は、レセプタクルハウジング６０のハウジング本
体６１に開口形成された下列のコンタクト挿入孔６４から挿入され、コンタクト受入口９
６が下方を向いてコンタクト差込口６３ｃと対向する収容姿勢で、コンタクト収容空間６
３ａ内に取り付けられる。このとき、第２レセプタクルコンタクト９０の上板部９１ｂに
形成されたラッチ部９８がハウジング本体６１に形成された第２ラッチ係止壁６８に係合
して、第２レセプタクルコンタクト９０の後方への移動が制止されるとともに、コンタク
ト本体９１がコンタクト収容部６３ａ内の側壁と当接して前方及び上下左右への移動が制
止され、これにより第２レセプタクルコンタクト９０が抜け止め状態でレセプタクルハウ
ジング６０内に固定保持される。なお、第２レセプタクルコンタクト９０をレセプタクル
ハウジング６０から抜脱する場合には、ハウジング本体６１の第２ラッチ解除孔６６を通
してラッチ部９８を弾性的に押し下げた状態で、第２レセプタクルコンタクト９０をまっ
すぐ後方へ引き抜けばよい。
【００４７】
一方、ハウジング本体６１の左右に形成される各ロックアーム７０は、その板厚方向（
左右方向）に弾性変形可能な厚みを有した略矩形板状に形成されており、ハウジング本体
６１から左右外方に突出する連結部５１を介してハウジング本体６１に一体的に繋がって
いる。ロックアーム７０の中央には、プラグコネクタ１０の枢支軸部２８の軸径よりも幾
分大きな円孔状に形成された枢支孔７１が開設されており、この枢支孔７１に枢支軸部２
８が係合（嵌入）可能になっている。ロックアーム７０の内面側には、その下端から上方
に延びる凹状の案内溝７２が形成されており、この案内溝７２の上端に上記枢支孔７１と
滑らかに繋がる傾斜面７３が形成されている。これにより、レセプタクルコネクタ５０の
左右の案内溝７２をプラグコネクタ１０の左右の枢支軸部２８に概略位置合わせして下方
に移動させることで、枢支軸部２８と案内溝７２とが互いの傾斜面によって相互に案内さ
れて、枢支孔７１を枢支軸部２８に係合させることができ、該係合状態でレセプタクルコ
ネクタ５０がプラグコネクタ１０に対して枢支軸部２８を中心として揺動可能になる。な
お、この枢支軸部２８の軸線中心（揺動軸の軸線中心）に符号Ｘを付して適宜図示してい
る。
【００４８】
ロックアーム７０の反係合部の端部（上端）には、このロックアーム７０の係合状態を
解除させるべく押圧操作される操作部７４が形成されており、この操作部７４を左右内方
に押圧操作することで、枢支孔７１を有するロックアーム７０の下端を連結部５１との接
合部を中心として左右外方に撓み変形させて、枢支孔７１を枢支軸部２８に対して係合を
解除し得る位置に変位させることができる。
【００４９】
なお、このようにレセプタクルコネクタ５０は枢支軸部２８を中心としてプラグコネク
タ１０に対して相対的に揺動可能であるが、レセプタクルコネクタ５０の一方向（図１４
における時計回り方向）への揺動は、連結部５１がＶ字溝２９の内壁部２９ａに当接した
ところで制限され、他方向（図１４における反時計回り方向）への揺動は、レセプタクル
ハウジング６０のハウジング本体６１下端がベース部２１の前壁２６上端に当接したとこ
ろで制限される。ここで、嵌合凸部６２，６３と嵌合凹部２７とを互いに嵌合・抜脱させ
る位置（「嵌脱位置」と称する）では、ハウジング本体６１下端とベース部２１の前壁２
６上端との間には僅かな隙間しかないため、この嵌脱位置を上記の一方向（時計回り方向
）への揺動が制限される位置としてみなすことができる。よって、レセプタクルコネクタ
５０は、実質的にみて、嵌合凸部６２，６３と嵌合凹部２７とが嵌合・抜脱する嵌脱位置
（「揺動初期位置」とも称する）と、連結部５１がＶ字溝２９の内壁面２９ａに当接する
位置（「揺動限界位置」と称する）との間で（本実施形態では約６０度の角度範囲で）揺
動し得る。
【００５０】
次に、このように構成されるコネクタ１において、レセプタクルハウジング６０の嵌合
凸部６２，６３とプラグハウジング２０の嵌合凹部２７とを嵌合接続する場合には、レセ
プタクルコネクタ５０の嵌合凸部６２，６３をプラグコネクタ１０の嵌合凹部２７に位置
合わして、レセプタクルコネクタ５０をプラグコネクタ１０の真上から降下させる。こう
してレセプタクルコネクタ５０を上方からプラグコネクタ１０に接近させると、プラグコ
ネクタ１０の枢支軸部２８がプラグコネクタ１０の案内溝７２に入り込んでこの案内溝７
２の内面に摺接する。そして、枢支軸部２８の傾斜面２８ａが案内溝７２の傾斜面７３に
当接したところで、互いの傾斜面の作用を受けてこの枢支軸部２８がロックアーム７０を
左右外方に押圧してロックアーム７０をこの枢支軸部２８から離れる方向に撓み変形させ
る。枢支軸部２８の傾斜面２８ａが案内溝７２の傾斜面７３を乗り越えたところで、左右
外方へ撓み変形していたロックアーム７０が自身の復元弾性により垂直姿勢に復帰し、枢
支軸部２８が枢支孔７１に係合する。このように枢支軸部２８が枢支孔７１に係合したと
きにクリック感が得られ、これと同時に嵌合凸部６２，６３が嵌合凹部２７内に嵌入して
、レセプタクルハウジング６０とプラグハウジング２０とが嵌合することで、レセプタク
ルコネクタ５０とプラグコネクタ１０とが結合状態となる。
【００５１】
また、このとき同時に、第１プラグコンタクト３０の接触部３１が、コンタクト差込口
６２ｃを通して第１レセプタクルコンタクト８０のコンタクト受入口８６から一対の弾性
変形８２間に入り込み、第１レセプタクルコンタクト８０の左右の接触部８５に挟み込ま
れた状態で弾性的に接触する。また同様に、第２プラグコンタクト４０の接触部４１が、
コンタクト差込口６３ｃを通して第２レセプタクルコンタクト９０のコンタクト受入口９
６から入り込み、第２レセプタクルコンタクト９０の左右の接触部９５に挟み込まれた状
態で弾性的に接触する。これにより、レセプタクルコンタクト８０，９０に接合されたケ
ーブルＣとプラグコンタクト３０，４０に接合された基板Ｂとが、両コンタクトを介して
電気的に接続された状態となって、両コネクタ１０，５０間における信号伝送が可能とな
る。
【００５２】
ここで、各レセプタクルコンタクト８０，９０は、前述したように、左右一対二組の弾
性変形部８２，９２をそれぞれ有しており（すなわち、計４個の接触部８５，９５をそれ
ぞれ有しており）、レセプタクルコンタクト８０，９０とプラグコンタクト３０，４０と
は最大で４点接触が可能である。この両コネクタ１０，５０の嵌脱位置では、第１プラグ
コンタクト３０の接触部３１は第１レセプタクルコンタクト８０の一組の接触部８５との
み接触しているため、第１レセプタクルコンタクト８０と第１プラグコンタクト３０とは
２点で接触する。一方、第２プラグコンタクト４０の接触部４１は第２レセプタクルコン
タクト９０の二組の接触部８５と接触しているため、第２レセプタクルコンタクト９０と
第２プラグコンタクト４０とは４点で接触する。
【００５３】
なお、レセプタクルハウジング６０の嵌合凸部６２，６３とプラグハウジング２０の嵌
合凹部２７との誤嵌合を防止するために、プラグハウジング２０にはベース部２１から上
方に突出する前壁２６が立設されており、レセプタクルハウジング２０とプラグハウジン
グ７０とが互いに正規の向きの場合に両者の嵌合を許容し、レセプタクルハウジング２０
とプラグハウジング７０とが互いに正規の向きでない場合に両者の嵌合を規制する（前壁
２６とハウジング本体６１とが当接して嵌合凸部６２，６３が嵌合凹部２７内に嵌入され
ない）ようになっており、これにより両コネクタ１０，５０の誤嵌合によって互いのコン
タクト３０，４０，８０，９０が破損することなく、安定した接続を得ることができる。
また、この前壁２６は、前述したように、レセプタクルコネクタ５０の他方向（図１４等
における時計回り方向）への揺動を制限する揺動範囲制限手段としての機能も果たしてい
る。
【００５４】
続いて、このようにレセプタクルハウジング６０の嵌合凸部６２，６３とプラグハウジ
ング２０の嵌合凹部２７とが嵌合接続された状態において、レセプタクルコネクタ５０を
プラグコネクタ１０に対して枢支軸部２８を中心として相対的に揺動させると、レセプタ
クルコンタクト８０，９０がプラグコンタクト３０，４０を挟み込んで弾性的に接触した
状態を維持しながら揺動する。ここで、前述したように、レセプタクルコネクタ５０はプ
ラグコネクタ１０に対し嵌脱位置と揺動限界位置との間で揺動することが可能であるが、
この動作の流れを図１４〜図１６（基板Ｂ及びケーブルＣの図示省略）に示しており、以
下において簡潔に説明する。なお、図中において、レセプタクルコネクタ５０におけるレ
セプタクルコンタクト８０，９０の接触部８５，９５の揺動軌跡（換言すれば、レセプタ
クルコンタクト８０，９０とプラグコンタクト３０，４０との接点の軌跡）を太線で付記
している。
【００５５】
まず、図１４に示すように、レセプタクルハウジング６０の嵌合凸部６２，６３とプラ
グハウジング２０の嵌合凹部２７とが嵌合・抜脱する嵌脱位置（揺動初期位置）では、前
述したように、第１レセプタクルコンタクト８０と第１プラグコンタクト３０とは２点で
接触し、第２レセプタクルコンタクト９０と第２プラグコンタクト４０とは４点で接触し
ている。
【００５６】
この状態から、図１５に示すように、レセプタクルコネクタ５０を揺動初期位置から所
定角度だけ枢支軸部２８まわりに揺動させると、第１プラグコンタクト３０の接触部３１
が第１レセプタクルコンタクト８０の二組の弾性変形部６２の両者に入り込んでこれら計
４個の接触部８５と弾性的に接触し、第１レセプタクルコンタクト８０と第１プラグコン
タクト３０とは４点で接触する。一方、第２プラグコンタクト４０の接触部４１は第１レ
セプタクルコンタクト９０の二組の接触部９５と弾性的に接触して互いに４点で接触した
状態を維持している。
【００５７】
そして、図１６に示すように、レセプタクルコネクタ５０が揺動限界位置に達すると、
レセプタクルコネクタ５０の連結部５１がＶ字溝２９の内壁面２９ａに当接して、これに
よりレセプタクルコネクタ５０の揺動が制限される。なお、この揺動限界位置において、
第１レセプタクルコンタクト８０と第１プラグコンタクト３０とは４点で接触した状態を
維持するとともに、第２レセプタクルコンタクト９０と第２プラグコンタクト４０とは４
点で接触した状態を維持している。このようにレセプタクルコネクタ５０を揺動させたと
き、枢支軸部２８の軸方向（図１４等の紙面直交方向）から見て、各レセプタクルコンタ
クト８０，９０の接触部８５，９５の揺動軌跡はプラグコンタクト３０，４０の接触部３
１，４１と重なるようになっており、換言すれば、レセプタクルコンタクト８０，９０と
プラグコンタクト３０，４０との接点の位置が枢支軸部２８まわりに円弧を描くように変
位していることが分かる。
【００５８】
なお、レセプタクルコンタクト８０，９０の上板部８１ｂ，９１ｂにはコンタクト逃げ
孔８７，９７が形成されているため、レセプタクルコンタクト８０，９０の奥行き（上下
方向寸法）を小さくしても、プラグコンタクト３０，４０の接触部３１，４１の先端は上
板部８１ｂ，９１ｂに干渉することなくコンタクト逃げ孔８７，９７から突出してスムー
ズに揺動変位することができる。
【００５９】
以上のことからも分かるように、レセプタクルハウジング６０とプラグハウジング２０
とが嵌合したときにプラグコンタクト３０，４０の接触部３１，４１がレセプタクルコン
タクト８０，９０の接触部８５，９５に挟み込まれた状態で弾性的に接触するようになっ
ており、レセプタクルコネクタ５０をプラグコネクタ１０に対して相対的に揺動させた場
合に、レセプタクルコンタクト８０，９０の接触部８５，９５がプラグコンタクト３０，
４０に対して弾性的に接触した状態を維持しながらそれぞれ摺動する。そのため、レセプ
タクルコネクタ５０をプラグコネクタ１０に対して相対的に揺動させても、これらレセプ
タクルコネクタ５０及びプラグコネクタ１０の相対位置に拘わらず、レセプタクルコンタ
クト８０，９０とプラグコンタクト３０，４０とは常時接触しており、これによりプラグ
コネクタ１０とレセプタクルコネクタ５０とを常に電気的に接続された状態とすることが
できる。
【００６０】
なお、このように両コネクタ１０，５０が嵌合接続した状態から両コネクタ１０，５０
を分離するには、レセプタクルコネクタ５０をプラグコネクタ１０に対して嵌脱位置に位
置させた上で、ロックアーム７０の左右の操作部７４を互いに内向き方向（互いに接近す
る方向）に押圧操作して、レセプタクルコネクタ５０の枢支孔７１とプラグコネクタ１０
の枢支軸部２８との係合を解除した状態で、レセプタクルコネクタ５０をプラグコネクタ
１０から引き離せばよい。
【００６１】
従って、本実施形態に係る可動型コネクタ１によれば、第１及び第２プラグコンタクト
８０，９０をプラグハウジング６０の幅方向に沿って二列で並設し、第１及び第２レセプ
タクルコンタクト３０，４０をレセプタクルハウジング２０の幅方向に沿って二列で並設
して、プラグコネクタ５０をレセプタクルコネクタ１０に対して相対的に揺動させたとき
に、枢支軸部２８の軸方向から見て、所定の揺動範囲における第１レセプタクルコンタク
ト８０の接触部８５の揺動軌跡が第１プラグコンタクト３０の接触部３１と重なるととも
に、第２レセプタクルコンタクト９０の接触部９５の揺動軌跡が第２プラグコンタクト４
０の接触部４１と重なるように配置され、レセプタクルコネクタ５０とプラグコネクタ１
０との相対位置に拘わらず、第１レセプタクルコンタクト８０と第１プラグコンタクト３
０とが常時接触した状態を維持しながら互いに相対変位するとともに、第２レセプタクル
コンタクト９０と第２プラグコンタクト４０とが常時接触した状態を維持しながら互いに
相対変位するように構成される。従って、プラグコネクタ３０，４０及びレセプタクルコ
ンタクト８０，９０の双方をそれぞれ二列配置とした場合でも、プラグコネクタ１０とレ
セプタクルコネクタ５０との間の通電状態を維持しながらもレセプタクルコネクタ５０を
プラグコネクタ１０に対して相対的に揺動させ得る構成が実現されるため、固定体と可動
体との間の電気的接続手段として好適に用いることが可能であるとともに、信号線（極数
）が増加しても各コンタクトを一列配置とした場合と比してハウジングの幅方向寸法を略
半分に短小化して、コネクタ全体の小型化を図ることができる。
【００６２】
また、この可動型コネクタ１において、枢支軸部２８の軸線（揺動軸の軸線）が複数の
第１プラグコンタクト３０と複数の第２プラグコンタクト４０との間に配置されており、
第１レセプタクルコンタクト８０及び第２レセプタクルコンタクト９０が枢支軸部２８を
中心として第１プラグコンタクト３０及び第２プラグコンタクト４０に対して相対的に揺
動したときの各レセプタクルコンタクト８０，９０の接触部８５，９５の揺動半径を小さ
く抑えることができるため、コネクタ全体の更なる小型化が可能である。
【００６３】
また、このように構成される可動型コネクタ１によれば、レセプタクルコネクタ５０が
プラグコネクタ１０に対して相対的に揺動した場合に、レセプタクルコンタクト８０，９
０の一対の接触部８５，９５とプラグコンタクト３０，４０の接触部３１，４１とは安定
した挟み込みによる接触状態を維持できるため、レセプタクルコンタクト８０，９０とプ
ラグコンタクト３０，４０との相対位置に拘わらず両者間の接触不良が生じ難く、これに
より電気的接続の信頼性を向上させることが可能である。
【００６４】
また、この可動型コネクタ１において、レセプタクルコンタクト８０，９０が一対の弾
性変形部８２，９２を二組有しており、レセプタクルコネクタ５０とプラグコネクタ１０
との相対位置に拘わらず、レセプタクルコンタクト８０，９０とプラグコンタクト３０，
４０とが弾性的に４点でそれぞれ接触し得るため、電気的接触点を更に増大させることが
できるとともに、両コンタクト間の位置ズレに対しても接触不良が生じ難くなり、電気的
接続の信頼性をより高めることが可能である。
【００６５】
また、この可動型コネクタ１において、プラグハウジング２０とレセプタクルハウジン
グ６０とを嵌合させたときに、プラグコンタクト３０，４０の接触部３１，４１がレセプ
タクルコンタクト８０，９０における一対の弾性変形部８２，９２の間で案内部８３，９
３によって一対の接触部８５，９５と弾性的に接触する位置へ案内される構成であるため
、プラグハウジング２０とレセプタクルハウジング６０とを嵌合させたときに、プラグコ
ンタクト３０，４０の接触部３１，４１をレセプタクルコンタクト８０，９０の一対の接
触部８５，９５間により一層円滑に導入することが可能になる。
【００６６】
また、この可動型コネクタ１において、レセプタクルコンタクト８０，９０の上板部８
１ｂ，９１ｂには、レセプタクルコネクタ５０とプラグコネクタ１０とを枢支軸部２８を
中心として相対的に揺動させたときに、プラグコンタクト３０，４０の接触部３１，４１
が通過可能なコンタクト逃げ孔８７，９７が形成されているため、レセプタクルコネクタ
５０がプラグコネクタ１０に対して相対的に揺動して、レセプタクルコンタクト８０，９
０とプラグコンタクト３０，４０との相対位置が変位したときに、プラグコンタクト３０
，４０の接触部３１，４１がレセプタクルコンタクト８０，９０の奥行き側にある上板部
８１ｂ，９１ｂに干渉することなくコンタクト逃げ孔８７，９７を通過することができる
ため、レセプタクルコンタクト８０，９０内にプラグコンタクト３０，４０における接触
部３１，４１の揺動スペースを大きく確保する必要はなく、レセプタクルコンタクト８０
，９０の奥行き方向の寸法を短小化することができる。
【００６７】
次に、本実施形態に係る可動型コネクタ１を固定体１１０と可動体１２０との間の電気
的接続手段として適用した構成について、図１７〜図１９を追加参照して説明する。可動
体１２０は固定体１１０の前面において互いの正面左側上下に配設されたヒンジ機構（図
示せず）を利用して前方に横開き開閉可能に取り付けられており、固定体１１０の後面側
に取り付けられた制御装置１１１と可動体１２０の前面側に取り付けられた電装品（電気
部品）１２１とが電気的に接続されて、制御装置１１１により電装品１２１の作動が制御
されるように構成されている。ここで、固定体１１０及び可動体１２０の組み合わせを、
例えばパチンコ機に適用した場合には、遊技盤を立設姿勢で収容保持する本体枠部材が固
定体に該当し、本体枠の前面側にヒンジ機構を介して横開き開閉及び着脱が可能に取り付
けられ電飾装置（ＬＥＤ等）や音響装置（スピーカ）等を備えるガラス枠部材が可動体に
該当する。なお、本実施形態の可動型コネクタ１は、パチンコ機に代表される遊技機に限
定されず、開閉式の操作パネルが有る制御機器や装置など、又は折り畳み式の携帯型端末
やノート型パーソナルコンピュータ等の他の装置にも適用可能である。
【００６８】
可動型コネクタ１は、固定体１１０と可動体１２０との間の電気的接続手段として、固
定体１１０に取り付けられた制御装置１１１と可動体１２０に取り付けられた電装品１２
１との間を電気的に接続する役割を担っている。
【００６９】
プラグコネクタ１０は、可動体１２０の前面側に配設された電装品１２１に電線（図示
せず）を介して接続された基板Ｂ上に実装されており、プラグコンタクト３０，４０のリ
ード部３３，４４が接続された当該基板Ｂを介して電装品１２１に接続されている。
【００７０】
レセプタクルコネクタ５０は、レセプタクルコンタクト８０，９０が接続されたケーブ
ルＣを介して制御装置１１１と接続されており、固定体１１０の左側縁部に表裏貫通して
形成されたケーブル引出孔１１２を通して固定体１１０の前面側に引き出されている。ケ
ーブル引出孔１１２は、可動体１２０が固定体１１０に対し閉止された状態で、可動体１
２０の後面側に取り付けられた基板Ｂ及びプラグコネクタ１０と前後に対向するように配
置されている。
【００７１】
可動型コネクタ１は、固定体１１０に対し可動体１２０を開放した状態（可動体１１０
を開いた状態）で、可動体１２０の後面側に基板Ｂを介して固定されたプラグコネクタ１
０に、固定体１１０の前面側に引き出されたレセプタクルコネクタ５０が嵌合接続されて
、可動体１２０の後面側に一体的に取り付けられる。こうしてプラグコネクタ１０とレセ
プタクルコネクタ５０とが嵌合接続されると、両コネクタ１０，５０を介してケーブルＣ
に接続された制御装置１１１と基板Ｂに接続された電装品１２１とが電気的に接続された
状態となって、両者間の信号伝送によって電装品１２１の作動が可能となる。
【００７２】
このように可動体１２０が固定体１１０に対し開放された状態では、図１８に示すよう
に、レセプタクルコネクタ５０はプラグコネクタ１０に対して嵌脱可能な揺動初期位置に
位置し、ケーブルＣ端部におけるレセプタクルコネクタ５０からケーブル引出孔１１２に
至る部分（ケーブル引出孔１１２から前方に引き出されたケーブル部分）は前後方向に延
びている。
【００７３】
そして、図１９に示すように、可動体１２０をヒンジ機構により後方に揺動させると、
レセプタクルコネクタ５０はケーブルＣに生じる張力によって（自己の位置を維持するよ
うに）プラグコネクタ１０に対して相対的に揺動する。このようにレセプタクルコネクタ
５０はプラグコネクタ１０に対して相対的に揺動自在であり、可動体１２０の動作に起因
してケーブルＣが無理やり曲げられて過度なストレス（主に曲げ応力）が生じようとして
も、このケーブルＣに生じる張力によりレセプタクルコネクタ５０に対して枢支軸部２８
回りのモーメント（力のモーメント）が作用することで、可動体１２０の動作に追従する
ようにレセプタクルコネクタ５０がプラグコネクタ１０に対して相対的に揺動運動して、
この曲げ応力を逃がすように柔軟に姿勢変化することができるため、ケーブルＣに局所的
な応力集中が生じるのを回避してコネクタの損傷を未然に防止することが可能である。よ
って、レセプタクルコネクタ５０がプラグコネクタ１０に対して揺動限界位置に達したと
きでも、ケーブルＣは曲げられることなくケーブル引出孔１１２をほぼ前後に延びた状態
を維持できる。
【００７４】
なお、このように可動体１２０が固定体１１０に対して揺動開閉したとき（すなわち、
レセプタクルコネクタ５０がプラグコネクタ１０に対して相対的に揺動したとき）でも、
レセプタクルコンタクト８０，９０とプラグコンタクト３０，４０とは常時接触した状態
を維持しながら相対変位し、レセプタクルコネクタ５０とプラグコネクタ１０との間の通
電状態は維持される。
【００７５】
以上、本実施形態に係る可動型コネクタ１によれば、可動体１２０が固定体１１０に対
し開閉揺動してレセプタクルコネクタ５０に繋がるケーブルＣが無理やり曲げられようと
しても、このケーブルＣに生じる張力によりレセプタクルコネクタ５０に対して揺動軸回
りのモーメント（力のモーメント）が作用することで、可動体の動作に追従するようにレ
セプタクルコネクタ５０がプラグコネクタ１０に対して両コネクタ１０，５０間の通電状
態を維持しながらも相対的に揺動運動して、この曲げ応力を逃がすように柔軟に姿勢変化
することができるため、ケーブルＣに局所的な応力集中が生じるのを回避してコネクタの
損傷を未然に防止することが可能である。
【００７６】
また、このように可動体１２０の開閉揺動によってケーブルＣが大きく曲げられること
がないため、ケーブルＣには若干の遊び代を付与すればよく、可動体１２０の開閉揺動に
際して固定体１１０と可動体１２０との間にケーブルＣが挟み込まれる事態を防止するこ
とができる。
【００７７】
これまで本発明の好ましい実施形態について説明したが、本発明の範囲は上述の実施形
態に示したものに限定されない。例えば、上述の実施形態において可動型コネクタ１に設
けられたレセプタクルコンタクト及びプラグコンタクトの個数（極数）はそれぞれ３２個
であったが、これは一例に過ぎず、コンタクトの個数は幾つであってもよい。また、上述
の実施形態では、各コンタクトをハウジングの幅方向に沿って前後２列で配置しているが
、これに限定されるものではなく、ハウジングの幅方向に沿って一列の配置であってもよ
い。さらに、上述の実施形態では、プラグコンタクトが基板に接続されレセプタクルコネ
クタがケーブルに接続された基板対ケーブル型のコネクタであったが、これに限定される
ものではなく、基板対基板型のコネクタや、ケーブル対ケーブル型のコネクタであっても
よい。
【００７８】
また、上述の実施形態では、可動体１２０（揺動側）に基板側コネクタとしてのプラグ
コネクタ１０を取り付け、このプラグコネクタ１０にケーブル側コネクタとしてのレセプ
タクルコネクタ５０を嵌合・抜脱自在に取り付ける構成を例示したが、これに限定される
ものではなく、可動体（揺動側）にケーブル側コネクタ（レセプタクルコネクタ）を取り
付け、このケーブルコネクタに基板側コネクタ（プラグコネクタ）を嵌合・抜脱自在に取
り付ける構成であってもよく、ケーブル側コネクタと基板側コネクタとが揺動軸を中心と
して互いに相対的に揺動可能であれば特に限定されるものではない。
【００７９】
また、上述の実施形態では、プラグコネクタ１０に左右方向外方へ突出する枢支軸部２
８を設け、レセプタクルコネクタ５０にロックアーム７０を左右に貫通する枢支孔７１を
設けているが、レセプタクルコネクタ５０がプラグコネクタ１０に対して相対的に揺動可
能及び係脱可能に取り付けられる構成であればよく、例えば、枢支軸部と枢支孔との配設
関係を逆に構成してもよい。
【符号の説明】
【００８０】
１  可動型コネクタ（コネクタ装置）
１０  プラグコネクタ
２０  プラグハウジング
２７  嵌合凹部（プラグ嵌合部）
２８  枢支軸部
３０  第１プラグコンタクト
３１  接触部
４０  第２プラグコンタクト
４１  接触部
５０  レセプタクルコネクタ
６０  レセプタクルハウジング
６２  上段嵌合凸部（レセプタクル嵌合部）
６３  下段嵌合凹部（レセプタクル嵌合部）
７０  ロックアーム
７１  枢支孔
７４  操作部
８０  第１レセプタクルコンタクト
８１  コンタクト本体
８１ｂ  上板部
８３  案内部
８５  接触部
８７  コンタクト逃げ孔
９０  第２レセプタクルコンタクト
９１  コンタクト本体
９１ｂ  上板部
９３  案内部
９５  接触部
９７  コンタクト逃げ孔
Ｃ  ケーブル
Ｂ  基板
Ｘ  枢支軸部の軸線
【図１】
0005551116.tif 000002
【図２】
0005551116.tif 000003
【図３】
0005551116.tif 000004
【図４】
0005551116.tif 000005
【図５】
0005551116.tif 000006
【図６】
0005551116.tif 000007
【図７】
0005551116.tif 000008
【図８】
0005551116.tif 000009
【図９】
0005551116.tif 000010
【図１０】
0005551116.tif 000011
【図１１】
0005551116.tif 000012
【図１２】
0005551116.tif 000013
【図１３】
0005551116.tif 000014
【図１４】
0005551116.tif 000015
【図１５】
0005551116.tif 000016
【図１６】
0005551116.tif 000017
【図１７】
0005551116.tif 000018
【図１８】
0005551116.tif 000019
【図１９】
0005551116.tif 000020